(57)【要約】      （修正有）【課題】ケーブルマネジメントを連接することができるスライドレールアセンブリで、ケーブルマネジメントに最適なサポート効果を実現することができるスライドレールアセンブリを提供する。【解決手段】第一レール１０はチャンネル３０を備え、一端には停止部３２を備え、ボールアセンブリ１４はボール保持フレーム４０を備え、複数のボール４２をボール保持フレーム４０に設置し、ボール保持フレーム４０はチャンネル３０に位置し、しかも第一、第二レール１０、１２間に位置し、ボール保持フレーム４０の一端は開口５０を備え、第一レール１０の停止部３２に対応し、連接台１６は第二レール１２に固定して設置し、ケーブルマネジメントの一端は取り外し可能な状態で連接台１６に連接し、第二レール１２が収納位置にある時、開口５０の辺縁は第一レール１０の停止部３２に接触し、しかも一部のボール４２は停止部３２位置を通過し、連接台１６は一部のボール４２に隣接し、ケーブルマネジメントに堅固なサポートを提供できる。【選択図】図１
0003173717.tif 000002
【実用新案登録請求の範囲】
【請求項１】
第一レール、第二レール、ボールアセンブリ、連接台を備える、スライドレールアセンブリであって、
前記第一レールは、第一上壁、第一下壁、第一側壁を備え、
前記第一下壁は、前記第一上壁に相対し、
前記第一側壁は、前記第一上壁と前記第一下壁との間に延伸し、前記第一側壁は、第一端及び第二端を備え、前記第二端は、前記第一端に相対し、
前記第一上壁、前記第一下壁、前記第一側壁は、共同でチャンネルを定義し、前記第一側壁は、停止部を備え、前記チャンネル内に位置し、しかも前記停止部は、前記第一側壁の第一端に隣接し、
前記第二レールは、第二上壁、第二下壁、第二側壁を備え、
前記第二下壁は、前記第二上壁に相対し、
前記第二側壁は、前記第二上壁と前記第二下壁との間に延伸し、
前記ボールアセンブリは、前記第一レールのチャンネルに設置し、前記ボールアセンブリは、ボール保持フレーム及び複数のボールを備え、
前記ボール保持フレームは、上保持部、下保持部、側部を備え、
前記上保持部は、前記第一レールの第一下壁に隣接し、前記下保持部は、前記第一レールの第一下壁に相対し、前記側部は、前記上保持部と前記下保持部との間に延伸し、しかも前記側部は、前記第一レールの第一側壁に隣接し、
前記各ボールは、前記ボール保持フレームの上保持部及び下保持部に設置し、これにより前記第二レールは前記第一レールに相対し、前記ボールアセンブリによりスライドし易くなり、しかも前記第二レールは、前記第一レールの第二端より伸び出し、
前記連接台は、前記第二レールに固定して設置し、
前記ボール保持フレームの側部は、開口を備え、前記第一レールの停止部に向かい、
前記第二レールが前記第一レールに相対し収納され、前記連接台が前記第一側壁の第一端に隣接する時、ボール保持フレームの側部の開口辺縁は、前記第一レールの停止部に接触し、
これにより、前記ボール保持フレーム上のボールの一部は、停止部位置を通過し、しかも前記連接台は、前記第一レールの停止部と前記第一レールの第一端との間に位置し、一部のボールに隣接することを特徴とするスライドレールアセンブリ。
【請求項２】
前記連接台には、前記ケーブルマネジメントの一端を連接し、しかもその連接は、取り外し可能であることを特徴とする、請求項１に記載のスライドレールアセンブリ。
【考案の詳細な説明】
【技術分野】
【０００１】
本考案はスライドレールアセンブリに係り、特にケーブルマネジメントを連接することができるスライドレールアセンブリに関する。
【背景技術】
【０００２】
従来のスライドレールの設計、特に折り畳み式ケーブルマネジメントを結合するスライドレールにおいて、その内レールが外レールに相対し、ボールをスライド媒介として利用する場合、その内レール末端部と外レール間にはしばしばボールが到達できず、サポートが欠如する状況が発生する。特に、内レールが外レールに完全に収容されると、内レールの末端部は、一種の宙吊り状態となる。内レールの宙吊り状態となった末端部は、非常に曲がり易い。これでは、ケーブルマネジメントの前側サポートフレームが内レール末端に連結する時、内レールの連結位置には、サポート力不足の問題が極めて容易に発生する。こうして、ケーブルマネジメントが大きく下垂する状況となる。
【０００３】
Chen氏等が発明した特許文献１の「Supporting  structure  for  a  slide  assembly」は、スライドレールアセンブリのサポート構造を掲示する。同構造は、折り畳み式ケーブルマネジメントとスライドレールの組合せに適用し、そのスライドレールは、内レール及び外レールを備える。内レールは、外レール内でスライドする。内レールには、ボールベアリングを設置し、しかもボールベアリングは、内レールの末端に近い位置に設置する。ボールベアリングは、上ボール槽、下ボール槽、ボールを備える。内レールに、上ボール槽、下ボール槽、ボールを設置する。上ボール槽、下ボール槽は共に、循環ボール槽で、上ボール槽、下ボール槽は共に、開放部分を備え、外レールに対応する。上ボール槽、下ボール槽内には、ボールを収容し、しかもボールは、上ボール槽、下ボール槽の開放部分において、外レールに対応しサポートする。
【０００４】
しかし、上記した設計は、既存のボールアセンブリの他に、ボールベアリング（ball  bearing  4）を増設しなければならない。さもなければ、内レールの末端に近い位置において、ケーブルマネジメントを支えることはできない。
【０００５】
Parvin氏が発明した特許文献２の「Telescopic  drawer  slide  with  mechanical  sequencing  latch」では、図２、３に示すように、内レールの末端に近い位置には、ボールがない。そのため、より良い設計を提供し、この欠点を改善しなければならない。本考案は、従来のスライドレールアセンブリの上記した欠点に鑑みてなされたものである。
【先行技術文献】
【特許文献】
【０００６】
【特許文献１】米国特許公開第2007/0263949A1号公報
【特許文献２】米国特許第5,551,775号明細書
【考案の概要】
【考案が解決しようとする課題】
【０００７】
本考案が解決しようとする課題は、ケーブルマネジメントを連接することができるスライドレールアセンブリで、ケーブルマネジメントに最適なサポート効果を提供することができるスライドレールアセンブリを提供することである。
【課題を解決するための手段】
【０００８】
上記課題を解決するため、本考案のスライドレールアセンブリは、第一レール、第二レール、ボールアセンブリ、連接台を備え、該第一レールは、第一上壁、第一下壁、第一側壁を備え、該第一下壁は、第一上壁に相対し、該第一側壁は、第一上壁と第一下壁との間に延伸し、該第一側壁は、第一端及び第二端を備え、該第二端は、該第一端に相対し、該第一上壁、該第一下壁と該第一側壁は、共同でチャンネルを定義し、該第一側壁は、停止部を備え、該チャンネル内に位置し、しかも該停止部は、該第一側壁の第一端に隣接し、該第二レールは、第二上壁、第二下壁、第二側壁を備え、該第二下壁は、該第二上壁に相対し、該第二側壁は、該第二上壁と該第二下壁との間に延伸し、該ボールアセンブリは、該第一レールのチャンネルに設置し、該ボールアセンブリは、ボール保持フレーム及び複数のボールを備え、該ボール保持フレームは、上保持部、下保持部、側部を備え、該上保持部は、該第一レールの第一下壁に隣接し、該下保持部は、該第一レールの第一下壁に相対し、該側部は、該上保持部と該下保持部との間に延伸し、しかも該側部は、該第一レールの第一側壁に隣接し、各ボールは、該ボール保持フレームの上保持部及び下保持部に設置し、これにより該第二レールは該第一レールに相対し、該ボールアセンブリによりスライドし易くなり、しかも該第二レールは、該第一レールの第二端より伸び出し、該連接台は、該第二レールに固定して設置し、該ボール保持フレームの側部は、開口を備え、該第一レールの停止部32に向かい、該第二レールが該第一レールに相対し収納され、該連接台が該第一側壁の第一端に隣接する時、該ボール保持フレームの側部の開口辺縁は、該第一レールの停止部に接触し、これにより、該ボール保持フレーム上のボールの一部は、停止部位置を通過し、しかも該連接台は、該第一レールの停止部と該第一レールの第一端との間に位置し、一部のボールに隣接し、好ましくは、該連接台には、該ケーブルマネジメントの一端を連接し、しかもその連接は、取り外し可能である。
【考案の効果】
【０００９】
本考案のスライドレールアセンブリでは、ケーブルマネジメントの重量が連接部品と連接台を経て、第二レールの対応部位にかかっても、第二レールが第一レールから簡単に外れることはなく、さらにケーブルマネジメントも過度に下垂することはないため、堅固なサポート効果を備える。
【図面の簡単な説明】
【００１０】
【図１】本考案実施例の立体分解図である。
【図２】本考案実施例の収納状態模式図である。
【図３】本考案実施例にケーブルマネジメントを連接する対応関係模式図である。
【図４】本考案実施例のスライドレールアセンブリが、収納位置にある時、ケーブルマネジメントをスライドレールに連接する組立て模式図である。
【考案を実施するための形態】
【００１１】
以下に図面を参照しながら本考案を実施するための最良の形態について詳細に説明する。
【００１２】
図１、２に示すように、本考案スライドレールアセンブリの実施例は、第一レール10、第二レール12、ボールアセンブリ14、連接台16を備える。上記した構成部材を備えるスライドレールアセンブリにより、図３に示すように、ケーブルマネジメント18の一端を組み付けて接続できる。
【００１３】
第一レール10は、第一上壁20、第一下壁22、第一側壁24を備える。第一下壁22は、第一上壁20に相対し、第一側壁24は、第一上壁20と第一下壁22との間に延伸し、第一側壁24は、第一端26及び第二端28を備え、第二端28は、第一端26に相対する。第一上壁20、第一下壁22と第一側壁24は、共同でチャンネル30を定義する。第一側壁24は、停止部32を備え、チャンネル30内に位置し、しかも停止部32は、第一側壁24に隣接する第一端26に位置する。
【００１４】
第二レール12は、第二上壁34、第二下壁36、第二側壁38を備える。第二下壁36は、第二上壁34に相対し、第二側壁38は、第二上壁34と第二下壁36との間に延伸する。
【００１５】
ボールアセンブリ14は、第一レール10のチャンネル30内に設置し、しかも第一レール10と第二レール12との間に位置する。ボールアセンブリ14は、ボール保持フレーム40及び複数のボール42を備える。ボール保持フレーム40は、上保持部44、下保持部46、側部48を備える。上保持部44は、第一レール10の第一上壁20に相対し、下保持部46は、第一レール10の第一下壁22に相対し、側部48は、上保持部44と下保持部46との間に延伸する。しかも、側部48は、第一レール10の第一側壁24に隣接し、側部48の一端は、開口50を備え、第一レール10の停止部32に向かう。各ボール42は、ボール保持フレーム40の上保持部44及び下保持部46に設置する。
【００１６】
第二レール12を第一レール10に相対し引き出すと、ボール保持フレーム40は第二レール12のスライドを助け、しかも連動され、第一レール10のチャンネル30に沿って、所定の位置まで移動する。
【００１７】
第二レール12を第一レール10に相対し収納すると、ボール保持フレーム40は同様に第二レール12のスライドを助け、しかも連動され、第一レール10のチャンネル30の位置から離れる。
【００１８】
連接台16は、第二レール12に固定して設置される。ケーブルマネジメント18の一端は、連接台16に連接する。好ましくは、ケーブルマネジメント18は、取り外し可能な方式で、連接台16に連接する。図３に示すように、ケーブルマネジメント18は、連接台16が連接する一端に相対し、連接部品52を備える。
【００１９】
図４に示すように、第二レール12が第一レール10に相対し収納され、連接台16が第一側壁24の第一端26に隣接する時、ボール保持フレーム40の側部48の開口50辺縁は、第一レール10の停止部32に接触する。これにより、ボール保持フレーム40上のボール42の一部は、停止部32位置を通過し、しかも、連接台16は、第一レール10の停止部32と第一レール10の第一端26との間に位置し、一部のボール42に隣接する。
【００２０】
よって、ケーブルマネジメント18が、連接部品52により、連接台16に連接して固定されると、ボールアセンブリ14のボール保持フレーム40の上、下保持部44、46のボール42により、第一レール10と第二レール12との間でサポートを受け、連接台16に隣接する。こうして、ケーブルマネジメント18の重量が、連接部品52と連接台16を経て、第二レール12の対応部位にかかっても、第二レール12が第一レール10から簡単に外れることはない。さらに、ケーブルマネジメント18も過度に下垂することはない。そのため、堅固なサポート効果を備える。
【００２１】
最適実施例中では、第二レール12が第一レール10に相対し収納位置にある時、連接台16は、第一レール10に相対する第一端26と停止部32との間に位置する。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
10  第一レール
12  第二レール
14  ボールアセンブリ
16  連接台
18  ケーブルマネジメント
20  第一上壁
22  第一下壁
24  第一側壁
26  第一端
28  第二端
30  チャンネル
32  停止部
34  第二上壁
36  第二下壁
38  第二側壁
40  ボール保持フレーム
42  ボール
44  上保持部
46  下保持部
48  側部
50  開口
52  連接部品
【図１】
0003173717.tif 000003
【図２】
0003173717.tif 000004
【図３】
0003173717.tif 000005
【図４】
0003173717.tif 000006